(57)【要約】【課題】前中心付近のカップ部間の開きが深い、特にノンワイヤーのブラジャーのカップ部上縁浮き上がり防止を図ったブラジャーを提供すること。【解決手段】左右のカップ部２，２の結節部３を幅狭くし、着用時、肩紐４，４に引っ張られて前記結節部３を中心として左右のカップ部２，２が中央部に寄せられるように構成されたブラジャー１において、前記左右のカップ部２，２の前中心付近に、カップ部２，２の下辺から上縁部に向けて伸びる接ぎライン８，８を形成し、この接ぎライン８，８は、バージスライン９，９に沿って、または、バージスライン９，９に平行に形成してある。【選択図】図１
2010196204.tif 000002
【特許請求の範囲】
【請求項１】
左右のカップ部の結節部を幅狭くし、着用時、肩紐に引っ張られて前記結節部を中心として左右のカップ部が中央部に寄せられるように構成されたブラジャーにおいて、
前記左右のカップ部の前中心付近に、カップ部の下辺から上縁部に向けて伸びる接ぎラインを形成し、この接ぎラインは、バージスラインに沿って、または、バージスラインに平行に形成してあることを特徴とするブラジャー。
【請求項２】
前記接ぎラインは、上端から下端に向けて幅を縮小するようなダーツまたはタックで形成していることを特徴とする請求項１に記載のブラジャー。
【発明の詳細な説明】
【技術分野】
【０００１】
本発明は、ブラジャーの改良に関するものである。
【背景技術】
【０００２】
従来、前中心付近のカップ部間の開きを深くし、かつ左右カップ部の結節部を幅狭くすることで、着用すると肩紐に引っ張られ、前記結節部を中心に左右カップ部が中央に寄せられ、胸の谷間を効果的に生じさせるブラジャーがある（例えば、特許文献１〜３等参照）。
また、カップ部の浮き等を押さえる方法として、例えば、ひねりを加えたボーンをカップ部に配設する構成が提案されている（特開２００５−２８１８９７号公報）。
【先行技術文献】
【特許文献】
【０００３】
【特許文献１】実用新案登録第３１４１８７２号公報
【特許文献２】特開２００８−２６６８４８号公報
【特許文献３】特開２００４−３１６０３６号公報
【特許文献４】特開２００５−２８１８９７号公報
【発明の概要】
【発明が解決しようとする課題】
【０００４】
しかし、前記特許文献１〜３のブラジャーは、前中心付近のカップ部間の開きを深くするために、前中心のカップ部の結節部をバージスラインの下辺部付近に配設しているため、通常のカップ部の形状と比較すると、左右のカップ部が前中心側に寄せられている分だけ左右のカップ部の外縁は前中心側においてバージスラインに沿った形状にならない。そのため、着用時、例えば、寄せ過ぎの場合や身体を動かした際にカップ部の前中心側上縁が浮いてしまう不具合があり、ノンワイヤーブラジャーの場合は、この傾向が強い。
前記特許文献４の提案は、上記カップ部の上縁の浮きを抑えることを目指しているが、前記のようなボーンを配設すると、ノンワイヤーブラジャーとしての楽な着け心地を損なってしまう不具合があった。
【０００５】
本発明は、従来のブラジャーの上記不具合点に鑑みて提案されたもので、前中心付近のカップ部間の開きが深い、特にノンワイヤーのブラジャーのカップ部上縁浮き上がり防止を図ったブラジャーを提供することを目的としている。
【課題を解決するための手段】
【０００６】
前記目的を達成するために本発明は、左右のカップ部の結節部を幅狭くし、着用時、肩紐に引っ張られて前記結節部を中心として左右のカップ部が中央部に寄せられるように構成されたブラジャーにおいて、
前記左右のカップ部の前中心付近に、カップ部の下辺から上縁部に向けて伸びる接ぎラインを形成し、この接ぎラインは、バージスラインに沿って、または、バージスラインに平行に形成してあることを特徴としている。
この構成によれば、着用時の動作等によって左右のカップ部が前中心側に寄ると、前記接ぎラインの位置でカップ部が谷折れに折れて前中心部が肌に密着するため、カップ部上縁部の浮き上がりを防止することができる。また、前記構成によれば、通常、カップ部下辺に設けられるワイヤーを配設しなくても、一定の補整効果、特に胸のボリューム感が得られるため、着け心地の楽なノンワイヤーブラジャーとして用いることが可能である。
【０００７】
前記接ぎラインは、上端から下端に向けて幅狭とされたダーツまたはタックで形成されていることを特徴としている。
この構成によれば、カップ部に対する接ぎラインを縫製等の接合作業によって容易に形成することができ、前記谷折れを確実に実現させることができると共に、カップ部の上縁部の厚さを他の部分と一様とでき、カップ部の上縁部の立体形状を崩すことも回避することができる。
【発明の効果】
【０００８】
本発明によれば、前中心付近のカップ部間の開きが深い、特にノンワイヤーのブラジャーのカップ部上縁浮き上がり防止を図ったブラジャーを提供することができる。
【図面の簡単な説明】
【０００９】
【図１】本発明に係るブラジャーの実施形態を示す正面図である。
【図２】本発明に係るブラジャーの実施形態を示す背面図である。
【図３】（Ａ）〜（Ｌ）は本発明に係るブラジャーの右半分の生地を分解した各パーツの展開図である。
【図４】バージスラインの説明図である。
【発明を実施するための形態】
【００１０】
以下、本発明に係るブラジャーの実施形態を図面を参照して説明する。
本発明に係るブラジャー１は、図１、図２に示すように、左右のカップ部２，２の結節部３を幅狭くし、着用時、肩紐４，４に引っ張られて前記結節部３を中心として左右のカップ部２，２が中央部に寄せられるように構成されている。
具体的には、本発明に係るブラジャー１の実施形態は、左右のカップ部２，２と、左右のカップ部２，２間を下辺で接続して結節部３を形成する前身部５と、左右のカップ部２，２の脇側に接続された脇身部６，６と、この脇身部６，６に接続された後身部７，７と、左右のカップ部２，２の上縁部及び後身部７，７に接続された肩紐４，４とを備えている。
【００１１】
そして、前記左右のカップ部２，２の前中心付近に、カップ部２，２の下辺から上縁部に向けて伸びる接ぎライン８，８を形成している。この接ぎライン８，８は、図４に示すバージスライン９，９に沿って、または、バージスライン９，９に平行に形成してある。なお、バージスライン９，９は、両手を引き上げた時のバストの下の略Ｕ字形（又は半円形）をなすラインであり、本発明は、このバージスライン９，９の内側、即ち、カップ部２，２の前中心側の立ち上がりカーブに沿って、または、立ち上がりカーブに平行に前記接ぎライン８，８が形成してある。
【００１２】
図３は、前記ブラジャー１の右半分の生地を分解した各パーツの展開図であって、前記カップ部２は、図３（Ａ）に示す表地２ａと、図３（Ｂ）（Ｃ）に示す上パッド２ｂ及び下パッド２ｃとで構成されている。表地２ａと下パッド２ｃとの下辺には、大ダーツ２ｄと小ダーツ２ｅが形成してある。大ダーツ２ｄは、縫製によってカップ部２を立体的に形成するためのものであり、小ダーツ３ｅは、縫製によって前記接ぎライン８を形成させるためのものである。上パッド２ｂと下パッド２ｃとは、ウレタンフォームや不織布等の弾性シートに裏地を一体に貼着したものが使用されており、これらを縫合することによってカップ部２を立体的に形成するものである。
【００１３】
図３（Ｄ）は、カップ部２の裏面側（肌側）に縫着されるポケット生地２ｆであって、少なくとも周縁の一部をポケット口２ｇ（図２参照）として開口させた状態で取り付けられている。
図３（Ｅ）（Ｆ）は、結節部３を構成する前身部５の表地５ａと裏地５ｂとを示している。図３（Ｇ）（Ｈ）は、脇身部６の表地６ａと裏地６ｂとを示している。図３（Ｉ）（Ｊ）は、後身部７の表地７ａと裏地７ｂとを示している。図３（Ｋ）（Ｌ）は、カップ部２の表側において外側半分を被覆するように縫着される補助片１０の表地１０ａと裏地１０ｂとを示しており、この補助片１０は、表地１０ａと裏地１０ｂとを重ねた状態でカップ部２の表地２ａの上に重ねられ、カップ部２の下辺の外側半分から脇部及び上縁の肩紐取付部までに亘ってカップ部２の外側約半分の周縁に沿って縫着されている。この補助片１０は、着用時、図１に示すように、肩紐４，４によって、左右のカップ部２，２を内側に引き寄せる作用を一層大きくするものである。
【００１４】
本発明に係るブラジャー１の実施形態は、以上の構成からなり、この構成によれば、着用時の動作等によって左右のカップ部２，２が前中心側に寄ると、前記接ぎライン８，８の位置でカップ部２，２が谷折れに折れて前中心部が肌に密着するため、カップ部２，２の上縁部の浮き上がりを防止することができる。また、前記構成によれば、通常、カップ部２，２の下辺に設けられるワイヤーを配設しなくても、一定の補整効果、特に胸のボリ
ューム感が得られるため、着け心地の楽なノンワイヤーブラジャーとして用いることが可能である。
【００１５】
前記接ぎライン８，８は、上端から下端に向けて幅狭とされたダーツで形成した場合を例示したが、ダーツの代わりにタックで形成してもよい。尚、ダーツとは、平面の布地を立体化する手段の１つであり、布の一部をつまんで細長い三角状に縫ったものである。また、タックとは、布を縫製するとき、平面の布地を体に合わせるため、また装飾のため、布地をつまんで縫った襞のことであり、ダーツのように縫い消さないものである。
この構成によれば、カップ部２，２に対する接ぎライン８，８を縫製等の接合作業によって容易に形成することができ、前記谷折れを確実に実現させることができると共に、カップ部２，２の上縁部の厚さを他の部分と一様とでき、カップ部２，２の上縁部の立体形状を崩すことも回避することができる。即ち、ダーツ等ではなく、接ぎでカップ部上辺までを（完全に）カットしている場合（胸中心側を別部材にしている場合）と比較して、上記した本発明のように、ある程度厚みをもったパッドをダーツ等で立体化してパッドのダーツ上方を残す（完全にカットしてしまわない）ことで、カップ部の前中心部の自然な立体形状を保つことができる。
【００１６】
本発明に係るブラジャーは、以上の構成からなるが、本発明は、この実施形態にのみ制約されるものではなく、特許請求の範囲に記載の範囲内で自由に変更して実施してもよい。例えば、各パーツを構成する生地の材質や裁断形状等は、適宜、選択使用し、また、変更することができ、補助片１０は省略して実施してもよい。さらに、ワイヤーの中心側端部が接ぎライン８，８の手前までであれば、ワイヤー入りのブラジャーにも適用可能である。
【産業上の利用可能性】
【００１７】
本発明は、ブラジャーの他、ブラスリップ、トップス、ブラキャミソール、ボディスーツ、カップ部付きテディ、水着等に適用可能である。
【符号の説明】
【００１８】
１    ブラジャー
２    カップ部
３    結節部
４    肩紐
５    前身部
６    脇身部
７    後身部
８    接ぎライン
９    バージスライン
１０    補助片
【図１】
2010196204.tif 000003
【図２】
2010196204.tif 000004
【図３】
2010196204.tif 000005
【図４】
2010196204.tif 000006